(57)【要約】【課題】把手をビスで固定する構成のものにおいて、万が一本体を持ち上げた状態でビスが外れた場合に、容易に本体から把手が外れず、安全性を高めること。【解決手段】調理容器本体１に設けられた把手２を取り付ける係止片４が、係止片４の調理容器本体１に対して外側方向の端部近傍の下面を部分的に覆うように形成したひさし部６と、取り付け面５に対し凸となって係止片４の水平方向の移動を妨げ、係止片４の一部をひさし部６と重なる位置に位置決めする凸部７と、凸部７の側面の一部であって係止片４に当接して把手２の調理容器本体１中心から外側に向かう方向への移動を妨げる当接面９とによって係止される構成としたことで、調理容器本体と把手を固定するビスがない状態で調理容器を持ち上げた場合にも、調理容器本体から把手が外れて調理容器本体が落下することを防止することを可能とした。【選択図】図２
2011024744.tif 000002
【特許請求の範囲】
【請求項１】
調理物を入れて調理を行う金属性の調理容器本体と、樹脂製の把手と、前記把手と前記調理容器本体とを螺着するビスと、手をかけて前記調理容器を運搬するための保持部とを備え、
前記調理容器本体は前記把手を取り付ける係止片を有し、前記把手の下面の保持部に対して鍋側に前記係止片の上面を当接させる取り付け面と、前記係止片の前記調理容器に対し外側方向の端部近傍の下面を部分的に覆うように形成したひさし部と、前記取り付け面に対し凸となって前記係止片の水平方向の移動を妨げ、係止片一部をひさし部と重なる位置に位置決めする１個以上の凸部とが設けられ、前記凸部のうち少なくとも１個は前記係止片に当接して把手の鍋中心から外側に向かう方向への移動を妨げる当接面を有し、前記係止片は前記当接面に当接する係止部を有し、前記当接面は前記ひさし部よりも前記調理容器本体に近い位置に設ける構成とした調理容器。
【請求項２】
取り付け面が把手の周囲に対し凹となる構成とした請求項１に記載の調理容器。
【請求項３】
取り付け面と保持部の間に指が係止片に当たることを妨げるガードを設ける構成とした請求項１または２に記載の調理容器。
【請求項４】
ひさし部と、ビスを羅着する下穴の位置を、金型の抜き方向に対してずれた位置に配置する構成とした請求項１〜３のいずれか１項に記載の調理容器。
【請求項５】
ひさし部を、凹部のコーナー部に設ける構成とした請求項１〜４のいずれか１項に記載の調理容器。
【発明の詳細な説明】
【技術分野】
【０００１】
本発明は、本発明は、一般家庭などにおいて使用され、容器内に被調理物を入れて調理を行なう調理容器に関するものである。
【背景技術】
【０００２】
従来の調理容器には、金属の調理容器本体に加熱調理後も素手で容易に調理容器を持ち運べるようにするために、樹脂製の把手を設けている（例えば特許文献１参照）。その取り付け方法として、調理容器の一部や調理容器に取り付けた取り付け部と把手の下面とを螺着して固定する構成となっているものがある。図１５は、従来の誘導加熱調理器の構成を示す要部断面図である（例えば、特許文献２参照）。
【先行技術文献】
【特許文献】
【０００３】
【特許文献１】特開平１０−１４６２７８号公報
【特許文献２】特開２００５−０７８９０１号公報
【発明の概要】
【発明が解決しようとする課題】
【０００４】
しかしながら、前記従来の調理容器の把手取り付け構成は、万が一調理容器を持ち上げた状態でビスが外れた場合に、調理容器本体が容易に落下し、やけどやけがなどが発生する危険性があるという課題があった。本発明は、前記従来の課題を解決するもので、調理容器本体と把手を固定するビスがない状態で調理容器を持ち上げた場合にも、容易に調理容器と把手が外れず、安全性を高めた加熱調理容器を提供することを目的とする。
【課題を解決するための手段】
【０００５】
前記従来の課題を解決するために、本発明の調理容器は、調理物を入れて調理を行う金属性の調理容器本体と、樹脂製の把手と、前記把手と前記調理容器本体とを螺着するビスと、手をかけて前記調理容器を運搬するための保持部とを備え、
前記調理容器本体は前記把手を取り付ける係止片を有し、前記把手の下面には前記係止片の上面を当接させて取り付ける取り付け面と、前記係止片の前記調理容器に対し外側方向の端部近傍の下面を部分的に覆うように形成したひさし部と、前記取り付け面に対し凸となって前記係止片の水平方向の移動を妨げ係止片の一部をひさし部と重なる位置に位置決めする１個以上の凸部とを設けられ、前記凸部のうち少なくとも１個は前記係止片に当接して把手の鍋中心から外側に向かう方向への移動を妨げる当接面を有し、前記係止片は前記当接面に当接する係止部を有し、前記当接面は前記ひさし部よりも前記調理容器本体に近い位置に設ける構成とすることで、前記把手を前記係止片の斜め下方向から挿入することで調理容器本体と嵌合し、前記把手の下面に対して上方向に力を加えた時には前記係止片が前記ひさし部と前記当接面とによって係止される構成としたものである。
【０００６】
このような構成とすることにより、調理容器と把手を固定するビスがない状態で、把手の保持部に手をかけて調理容器を上に持ち上げた時にも、罫止片の先端と把手のひさし部が係り、斜めになって把手が調理容器に対して外側に外れようとする力が働くところに把手の罫止部が罫止片を妨げることで把手が外れることを防ぎ、調理容器を持ち上げることができる。
【０００７】
また、調理容器を置いた状態では把手を調理容器外側方向で斜め下方向に傾け動かすことで、ひさし部と罫止部とが罫止片を避けて把手を取り外すことができるため、調理容器
を落とす危険がなく安全な状態でのみ、把手の取り外しを行うことができる。
【発明の効果】
【０００８】
本発明によれば、調理容器の罫止片を把手のひさし部と罫止部とで罫止する構成としたので、把手に手をかけて鍋を移動する際に鍋を落とすことが防止でき、安全である。また調理容器を落とさない方向には、把手の取り付け・取り外しを容易に行うことができ、製造時の組立て性と使用時の安全性とが共に良好な調理容器を提供できる。
【図面の簡単な説明】
【０００９】
【図１】本発明の実施例１における調理容器の下面からの斜視図
【図２】本発明の実施例１における調理容器の把手部の下面図
【図３】本発明の実施例１における把手部の断面図
【図４】本発明の実施例１における把手部のビスがない状態での調理容器持ち上げ方向に荷重がかかった場合の断面図
【図５】本発明の実施例１における把手の下からの斜視図
【図６】本発明の実施例１における把手部のビスがない状態での把手取り外し時の断面図
【図７】本発明の実施例２における調理容器の下面からの斜視図
【図８】本発明の実施例２における把手部の下面図
【図９】本発明の実施例３における調理容器の下面からの斜視図
【図１０】本発明の実施例３における把手部の下面図
【図１１】本発明の実施例４における調理容器の下面からの斜視図
【図１２】本発明の実施例４における把手部の下面図
【図１３】本発明の実施例５における調理容器の下面からの斜視図
【図１４】本発明の実施例５における把手部の下面図
【図１５】従来の加熱調理器の把手部の断面図
【発明を実施するための形態】
【００１０】
第１の発明は、調理物を入れて調理を行う金属性の調理容器本体と、樹脂製の把手と、前記把手と前記調理容器本体とを螺着するビスと、手をかけて前記調理容器を運搬するための保持部とを備え、前記調理容器本体は前記把手を取り付ける係止片を有し、前記把手の下面には前記係止片の上面を当接させて取り付ける取り付け面と、前記係止片の前記調理容器に対し外側方向の端部近傍の下面を部分的に覆うように形成したひさし部と、前記取り付け面に対し凸となって前記係止片の水平方向の移動を妨げ係止片の一部をひさし部と重なる位置に位置決めする１個以上の凸部とを設けられ、前記凸部のうち少なくとも１個は前記係止片に当接して把手の鍋中心から外側に向かう方向への移動を妨げる当接面を有し、前記係止片は前記当接面に当接する係止部を有し、前記当接面は前記ひさし部よりも前記調理容器本体に近い位置に設ける構成としたものである。このことにより、調理容器と把手を固定するビスがない状態で、保持部に手をかけて調理容器を上に持ち上げた時にも、係止片の先端と把手のひさし部が係り、斜めになって把手が調理容器に対して外側に外れようとする力が働くところに把手の当接面が係止片の係止部に当接することで把手が外れることを防ぎ、調理容器を持ち上げることができる。また、調理容器を置いた状態では把手を調理容器外側方向で斜め下方向に傾け動かすことで、ひさし部と当接面とが係止片を避けて把手を取り外すことができるため、調理容器を落とす危険がなく安全な状態でのみ、把手の取り外しを行うことができる。
【００１１】
第２の発明は、第１の発明において、取り付け面が把手の周囲に対し凹となる構成としたものである。このことにより、指が保持部からずれたときに係止片に当たりにくくすることができる。
【００１２】
第３の発明は、第１または第２の発明において、取り付け面と保持部の間に指が係止片に当たることを妨げるガードを設ける構成としたものである。このことにより、指が保持部からずれて係止片に当たることを防ぐことができる。
【００１３】
第４の発明は、第１〜３のいずれか１つの発明において、ひさし部と、ビスを羅着する下穴の位置を、金型の抜き方向に対してずれた位置に配置する構成としたものである。このことにより、ひさし部およびビスの下穴の形状をスライド型などの構成の金型で形成することができ、後加工を不要とすることができる。
【００１４】
第５の発明は、第１〜４のいずれか１つの発明において、ひさし部を、凹部のコーナー部に設ける構成としたものである。このことにより、ひさし部を直線状の側壁に設置した場合に比べてひさし部の強度を上がり、より重い調理物や調理容器を支えることができるため、安全性をさらに向上させることができる。
【００１５】
以下、本発明の実施の形態について図面を用いて説明する。なお、この実施の形態によって本発明が限定されるものではない。
【００１６】
（実施の形態１）
図１および図２にて本実施の形態の構成を説明する。図１は本発明における調理容器の下方斜視図、図２は本発明における調理容器の把手部の下面図である。調理容器本体１に係止片４が設けられ、把手２の取り付け面５にビス３にて螺着されている。係止片４は取り付け面５の周囲を囲う把手左右のリブ（凸部）７によって水平方向の位置を固定されている。ひさし部６は左右に２箇所設けられ、係止片４の左右先端の一部がそれぞれ左右のひさし部６と重なるように位置している。ひさし部６はコーナー部を形成する側壁Ａ１３および側壁Ｂ１４により支持されており、このようにコーナー部にひさし部６を設けることでひさし部６の強度を上げることができる。リブ７の一部は把手２を調理容器から離す方向に力をかけたときに係止片４の係止部１０と当接する当接面９となっている。把手２の調理容器から離れた側には、調理容器を運搬するときに手で保持する保持部１１が設けられている。保持部１１と取り付け面５の間にはガード１２が設けられており、指が係止片４に当たってやけど等が発生することを防いでいる。
【００１７】
把手２はフェノール等の樹脂を用いて金型成形にて製造されているが、その際、図６のようにパーティングラインをとっている。ひさし部６はＣＯＲＥ側の抜き方向に対してアンダーカットとなるためスライド型で抜かなければいけないが、スライド型の抜き方向に対してビス下穴８とひさし部６が重なった位置にあると、ビス下穴８が金型成形にて形状を形成できないので、ビス下穴８は樹脂成形後の後加工にて形成しなければならない。しかし、図６のようにビス下穴８とひさし部６を抜き方向に対してずれた位置に設けることで、ビス下穴８とひさし部６が金型成形にて成形することができるようになり、後加工の必要がなくなる。
【００１８】
以上のように構成された調理容器において、図３から図５にてビス３が無い状態での調理容器の動きを説明する。
【００１９】
図３は本実施の形態における把手部の略断面図である。ここで、把手２に上向きの力がかかった状態でビス３が外れると把手２が上に持ち上がり、係止片４の下面がひさし部６の上面に当たるため、把手２が水平の状態では調理容器本体１は落下しない。しかし、把手２を持ち上げる場合には保持部１１にのみ上向き方向の力が加わるため、図４のようにひさし部６の上面を支点として保持部１１が上に上がる方向（図の矢印方）に回転し、さらに保持部１１に上向きの力が加わることで把手２は調理容器本体１から外れる方向に動く。ここで、当接面９と係止部１０が当接することで、それ以上把手２が調理容器本体１
から外れるのを防ぐ働きをし、調理容器本体１は落下しない。また、把手２を取り外す場合には、図５のように把手２を斜め下方向（矢印Ａ方向）に傾けることで、係止部１０が当接面９よりも下側に位置するようになり、そのまま水平方向（矢印Ｂ方向）に移動させれば把手２を外すことができる。ここで、当接面９の取り付け面５からの距離は、図５の状態で係止部１０が当接面２に当たらない距離である必要があるが、その範囲でできる限り高くしておくほうが、不用意に外れにくくなって良い。なお、把手２を組み立てる場合はこの逆の経路をたどって係止片４に取り付け面５を載置し、螺着すればよい。
【００２０】
なお、ひさし部６やリブ（凸部）７を複数設けることで、水平方向に回転させるような動作をさせようとした場合にも位置決めが狂いにくく、より確実に安全性を確保できる。
【００２１】
なお、本実施の形態では係止片４は調理容器本体１と一体に形成しているが、別部品として形成してから調理容器本体１に螺着や溶接等で取り付けてもよい。
【００２２】
なお、本実施の形態ではビス３の螺着位置を係止片４内に設けたが、係止片外の部分で把手２と調理容器本体１を螺着してもよい。
【００２３】
（実施の形態２）
図７および図８にて本実施の形態の構成を説明する。図７は本発明における調理容器の下方斜視図、図８は本発明における調理容器の把手部の下面図である。本実施の形態は実施の形態１と動作原理は同じなので、相違点のみ説明する。
【００２４】
本実施の形態では、ひさし部６は取り付け面５の中央に１箇所設置されている。また、凸部７および当接面９は係止片４の中に左右２箇所に設けられ、係止片４に孔を開けることで係止部１０を形成している。このような構成においても、実施の形態１と同様な効果が得られる。また、この形態のひさし部６は、３辺を側面にて支えられているので、より強度が強くなる。
【００２５】
（実施の形態３）
図９および図１０にて本実施の形態の構成を説明する。図９は本発明における調理容器の下方斜視図、図１０は本発明における調理容器の把手部の下面図である。本実施の形態は実施の形態１と動作原理は同じなので、相違点のみ説明する。
【００２６】
本実施の形態では、ひさし部６は左右に２箇所、凸部７は中央に１箇所設置されている。このような構成においても、実施の形態１と同様な効果が得られる。またこの構成によれば、１箇所の凸部７で３方向の動きを規制できる。この形態でのひさし部６は、１辺のみでしか支持されておらず強度は弱くなるが、係止片４の形状を単純にできるという利点がある。
【００２７】
（実施の形態４）
図１１および図１２にて本実施の形態の構成を説明する。図１１は本発明における調理容器の下方斜視図、図１２は本発明における調理容器の把手部の下面図である。本実施の形態は実施の形態１と動作原理は同じなので、相違点のみ説明する。
【００２８】
本実施の形態では、ひさし部６が左右端、その内側に凸部７および当接面９がそれぞれ２箇所設けられている。このような構成においても、実施の形態１と同様な効果が得られる。ひさし部６は当接面９よりも調理容器本体１から離れた位置に設ける必要があるため、このような配置にすることで、保持部１１の形状について左右端を狭く中央を広くなるようにガード１２の形状を形成することができ、より持ちやすい保持部１１を形成することができる。
【００２９】
（実施の形態５）
図１３および図１４にて本実施の形態の構成を説明する。図１３は本発明における調理容器の下方斜視図、図１４は本発明における調理容器の把手部の下面図である。本実施の形態は実施の形態１と動作原理は同じなので、相違点のみ説明する。
【００３０】
本実施の形態では、ひさし部６は取り付け面５の左右端に２箇所設けられており、その内側にビス下穴８と凸部７および当接面９をそれぞれ２箇所設けられている。このような構成においても、実施の形態１と同様な効果が得られる。この構成では、把手２にガードを形成する代わりに取り付け面５全体を凹ませることで、指が係止片４に当たりにくくしており、横から見た時の外観をすっきりさせることができるという利点がある。
【産業上の利用可能性】
【００３１】
以上のように、本発明にかかる調理容器は、調理容器本体と把手を固定するビスがない状態で把手に手をかけて持ち上げた場合にも、容易に本体と把手が外れず、安全性を確保することができるので、持ち運び用の把手を有する器具全般に適用することできる。
【符号の説明】
【００３２】
１  調理容器本体
２  把手
３  ビス
４  係止片
５  取り付け面
６  ひさし部
７  凸部
８  ビス下穴
９  当接面
１０  係止部
１１  保持部
１２  ガード
【図１】
2011024744.tif 000003
【図２】
2011024744.tif 000004
【図３】
2011024744.tif 000005
【図４】
2011024744.tif 000006
【図５】
2011024744.tif 000007
【図６】
2011024744.tif 000008
【図７】
2011024744.tif 000009
【図８】
2011024744.tif 000010
【図９】
2011024744.tif 000011
【図１０】
2011024744.tif 000012
【図１１】
2011024744.tif 000013
【図１２】
2011024744.tif 000014
【図１３】
2011024744.tif 000015
【図１４】
2011024744.tif 000016
【図１５】
2011024744.tif 000017